(57)【要約】【課題】  電子メール送信を簡便な手順で素早く行うことができるデータ通信装置を提供する。【解決手段】  電子メールアドレスを特定する、「００」等の短縮コードが操作部１１のテンキー１１１から入力された場合に、テーブル記憶部（電話帳テーブルＴＢＬ）の当該短縮コードにかかるレコードに電子メールアドレスが登録されているときは、たとえば、文書番号が「０１」で表される電子メール文書の送信をユーザに行わせる電子メール送信キーを備えている。このとき、表示部１２には、〔短縮コード〕＊〔文書番号〕（「００＊０１」）が表示される。【選択図】        図１
2006187021.tif 000002
【特許請求の範囲】
【請求項１】
テンキーおよび操作キー群およびディスプレイを有する操作表示部と、通信相手名、当該相手の電話番号、および当該相手の電子メールアドレスが短縮コードに対応して登録されるテーブル記憶部と、電子メール文書を格納する文書記憶部と、装置全体を制御する制御部と、指定された電話番号にダイヤル発信を行うことができかつ指定された電子メールアドレスに電子メールの送信を行うことができる通信部と、を備えてなるデータ通信装置において、
電子メールアドレスを特定する短縮コードが前記操作表示部のテンキーから入力された場合に、前記テーブルの当該短縮コードにかかるレコードに電子メールアドレスが登録されているときは、通話モードから電子メール送信モードへのモード変更を行うモード変更キーを備えたことを特徴とするデータ通信装置。
【請求項２】
前記電子メール送信キーにより、電子メール文書を送信するに際して、当該電子メール文書の選択を行うための文書選択手段を備えたことを特徴とする請求項１に記載のデータ通信装置。
【請求項３】
前記文書選択手段は、前記文書記憶部に格納された電子メール文書をリスト表示することを特徴とする請求項２に記載のデータ通信装置。
【請求項４】
前回の電子メール送信において送信した文書を、リストの第１番目に表示することを特徴とする請求項３に記載のデータ通信装置。
【請求項５】
前記文書選択手段による電子メール文書の選択に際して、前記短縮コードと前記電子メール文書の番号とが前記操作表示手段のディスプレイに同時に表示されることを特徴とする請求項１から４の何れか１つに記載のデータ通信装置。
【請求項６】
前記ダイヤル発信により、通信相手との通話機能を備えたことを特徴とする請求項１から５の何れか１つに記載のデータ通信装置。
【発明の詳細な説明】
【技術分野】
【０００１】
本発明は、電子メール送信を簡便な手順で素早く行うことができるデータ通信装置に関する。
【背景技術】
【０００２】
図６は、従来の携帯型電話機６の外観を示すもので、携帯型電話機６は、テンキー６１１と操作キー群６１２とを備え、操作キー群６１２は、ダイヤル発信／電子メール送信キー６１２１、カーソルキー６１２２、実行キー６１２３、電源キー６１２４とが含まれる。携帯型電話機６は、電源オン時にはダイヤル発信モード（通話モード）となっている。ダイヤル発信／電子メール送信キー６１２１を押下することにより、電話番号を無線通信回線を介して相手先に送信し、あるいは電子メール文書を無線通信回線を介して指定した電子メールアドレスに送信することができる。
【０００３】
携帯型電話機６は液晶のディスプレイ６２を有し、このディスプレイに電話機本体に内蔵された電話帳テーブルに記憶された電話番号を適宜呼び出して表示し、あるいは内蔵の簡易エディタを起動してディスプレイ６２において編集等をすることができる。
【０００４】
携帯型電話機６の動作を図７および図８のフローチャートにより説明する。まず、コード（数字列または文字列）がテンキー６１１から入力されると、携帯型電話機６の図示しない制御部は、入力されたコードを取得し（Ｓ６０１）、当該コードが電話番号であるか短縮コードまたは検索キーであるかをチェックする（Ｓ６０２）。制御部は、取得したコードが電話番号であるときは、当該電話番号と同一の電話番号が電話帳テーブルに登録されているか否かをチェックし（Ｓ６０３）、同一電話番号が電話帳テーブルに登録されているときは、後述するステップ６０９に処理を渡す。
【０００５】
ステップ６０３において、同一電話番号が電話帳テーブルに登録されていないときは、制御部は、ディスプレイ６２に、名前および電話番号を表示し（Ｓ６０４）、ダイヤル発信／電子メール送信キー６１２１が押されるのを待つ（Ｓ６０５）。そして、ダイヤル発信／電子メール送信キー６１２１が押されたときは、ダイヤル発信を行い、通話が終了したときに（Ｓ６０６）処理を終了する（図７の「エンド」：すなわち、状態を電源オン時に戻す）。
【０００６】
ステップＳ６０２において、ユーザにより入力されたコードが短縮コードまたは検索キーであるときは、図８に示すように、短縮コードまたは検索キーが電話帳テーブルに登録されているか否かをチェックし（Ｓ６０８）、登録されていないときは処理を終了する（図７０の「エンド」）。ステップＳ６０８において、短縮コードまたは検索キーが電話帳テーブルに登録されている場合には、電子メールアドレスが短縮コードまたは検索キーとともに登録されているかをチェックする（Ｓ６０９）。電子メールアドレスが電話帳テーブルに登録されていないときは、ステップＳ６０４（図７参照）に処理を渡し、電子メールアドレスが電話帳テーブルに登録されているときは、氏名，電話番号とともに、たとえば「電子メールアドレスあり」をディスプレイ６２に表示する（Ｓ６１０）。
【０００７】
ついで、メール送信が選択がなされたか、ダイヤル発信が選択されたか（ダイヤル発信／電子メール送信キー６１２１が押されたか）をチェックし（Ｓ６１１）、ダイヤル発信／電子メール送信キー６１２１が押されたときは、前述したステップＳ６０６（図７参照）に処理を渡し、ダイヤル発信を行う。ステップＳ６１１において、メール選択がなされたときは、電子メール選択画面または電子メール作成画面をディスプレイ６２に表示し。電子メール選択、電子メール作成がなされた否かをチェックする（Ｓ６１２）。電子メール選択は、予め作成されている電子メールを、当該電子メールに付された文書番号を、リストの中から指定することにより行われ、電子メール作成は、制御部が簡易エディタを起動することにより行われる。
【０００８】
電子メール選択または電子メール作成が行われると、制御部は、ダイヤル発信／電子メール送信キー６１２１が押されるのを待って（Ｓ６１４）、電子メールの送信を行い（Ｓ６１５）、処理を終了する（図８の「エンド」参照）。
【発明の開示】
【発明が解決しようとする課題】
【０００９】
しかし、図６に示した携帯型電話機６において、電子メール送信では、短縮コードをキー入力したときには、直接電子メールアドレスが表示されない。すなわち、電子メールを送信する場合には、電話番号を表示した後に、電子メールアドレスを指定しなければならず、ユーザの操作回数が多くなるといった問題がある。
【００１０】
本発明は、少ない操作回数で電子メールを素早く送信することができるデータ通信装置を提供することを目的とする。
【課題を解決するための手段】
【００１１】
本発明のデータ通信装置は、テンキーおよび操作キー群およびディスプレイを有する操作表示部と、通信相手名、当該相手の電話番号、および当該相手の電子メールアドレスが短縮コードに対応して登録されるテーブル記憶部と、電子メール文書を格納する文書記憶部と、装置全体を制御する制御部と、指定された電話番号にダイヤル発信を行うことができかつ指定された電子メールアドレスに電子メールの送信を行うことができる通信部とを備えてなり、電子メールアドレスを特定する短縮コードが前記操作表示部のテンキーから入力された場合に、前記テーブルの当該短縮コードにかかるレコードに電子メールアドレスが登録されているときは、通話モードから電子メール送信モードへのモード変更をユーザに行わせるモード変更キーを備えたことを特徴とする。
携帯型電話機が通話モードにあるときに、モード変更キーが押されると、通話モードから電子メール送信モードへの変更がなされる。また、携帯型電話機が電子メール送信モードにあるときに、モード変更キーが押されたときには、電子メール送信モードから通話モードへの変更がなされるようにしてもよい。
【００１２】
本発明のデータ通信装置は、携帯型電話機等に適用されるもので、短縮コードが入力され、直後に所定のキーが押され、かつメール文書が送信されたときは、当該短縮コードに対応する電子メールアドレスへのメール送信が可能となる。したがって、少ない操作回数での電子メール送信を行うことができる。
【００１３】
本発明では、前記電子メール送信キーにより、電子メール文書を送信するに際して、当該電子メール文書の選択を行うための文書選択手段を備えることができる。本発明では、電子メール文書は、短縮コードを入力し、直後に所定のキーを押すことで選択が可能となるが、このとき、新文書を作成するようにもできる。
【００１４】
本発明のデータ通信装置では、文書選択手段は、文書記憶部に格納された電子メール文書をリスト表示することができる。この場合、前回の（直前回の）電子メール送信において送信した電子メール文書を、リストの第１番目に表示するようにできる。リストが表示部に表示されているときに、送信キーが押されたときは、第１番目に表示された電子メール文書が送信されるようにできるので、ユーザは連続して複数の電子メールアドレスに同一メール文書を送信するときに、効率のよい送信ができる。
【００１５】
本発明のデータ通信装置では、前記文書選択手段による電子メール文書の選択に際して、前記短縮コードと電子メール文書の番号とが前記操作表示手段のディスプレイに同時に表示するようにできる。これにより、ユーザは短縮コードと電子メール文書との対応付けが容易となる。
【発明の効果】
【００１６】
本発明では、電子メール送信を簡便な手順で素早く行うことができる。すなわち、本発明のデータ通信装置は、短縮コードが入力され、直後に所定のキーが押され、かつメール文書が送信されたときは、当該短縮コードに対応する電子メールアドレスへのメール送信が可能となり、少ない操作回数での電子メール送信を行うことができるようになる。
【発明を実施するための最良の形態】
【００１７】
図１は、本発明の携帯型電話機のブロック図である。図１において、携帯型電話機１は、操作部１１と、表示部１２と、制御部１３と、記憶部１４と、通信部１５とを備えている。
【００１８】
操作部１１は、図２の携帯型電話機の外観図に示すように、テンキー１１１と、操作キー群１１２とを備えている。テンキー１１１は、「０」〜「９」，「＊」，「♯」の１２個のキーからなり、操作キー群１１２は、ダイヤル発信／電子メール送信キー１１２１、カーソルキー（シーソーキー）１１２２、実行キー１１２３、電源キー１１２４、モード変更キー１１２５を備えている。本実施形態では、モード変更キー１１２５は、通話モードから電子メール送信モードへの変更や、電子メール送信モードから通話モードへの変更を行うことができる。
なお、各種の機能選択は、たとえばシーソーキー１１２２等の操作により行うこともできるが、本実施形態では機能選択についての説明は省略する。
【００１９】
デフォルト（電源オン時）ではダイヤル発信モードとなっており、電子メール送信は、後述するように、モード変更キー１１２５を押すことにより行うことができる。
【００２０】
ダイヤル発信に際しては、ダイヤル発信／電子メール送信キー１１２１を押下することにより、電話番号を通信部１５から無線通信回線を介して相手先に送信することができる。
【００２１】
また、電子メール送信に際しては、ダイヤル発信／電子メール送信キー１１２１を押することにより、電子メール文書を通信部１５から無線通信回線を介して相手方の電子メールアドレスに送信することができる。
【００２２】
制御部１３は、ＣＰＵ１３１、図示しない時計等を備えている。また、記憶部１４は、プログラムドＲＯＭ１４１と、不揮発性ＲＡＭ１４２と、ワークＲＡＭ１４３とを備えている。プログラムドＲＯＭ１４１には、電話番号登録プログラムｐｒｇ＿０１、電子メールアドレス登録プログラムｐｒｇ＿０２、短縮ダイヤルプログラムｐｒｇ＿０３、電子メール選択プログラムｐｒｇ＿０４、電子メール作成用プログラムｐｒｇ＿０５等が格納されている。不揮発性ＲＡＭ１４２には、図３（Ａ）に示すような電話帳テーブルＴＢＬが確保されており、各レコードは、名前フィールド、電話番号フィールド、短縮番号フィールド、電子メールアドレスフィールドからなる。また、電子メール文書は、不揮発性ＲＡＭ１４２に蓄積される。図３（Ｂ）に不揮発性ＲＡＭ１４２に蓄積された電子メール文書を例示する。
【００２３】
携帯型電話機１の動作を図４および図５のフローチャートにより説明する。
まず、ユーザは、予め、メール作成用プログラムｐｒｇ＿０５を用いて電子メール文書を作成してあるものとする。たとえば、この文書リストをＤ＿００，Ｄ＿０１，・・・，Ｄ＿９９とし（図３（Ｂ）参照）、これらは、電子メール送信モードにおいては、テンキー１１１から「ｘｙ」（ｘ＝０〜９，ｙ＝０〜９）を入力することにより指定できるものとする。
【００２４】
通常状態（電源オン時のデフォルト状態）から、コード（通常は、数字列）がテンキー１１１から入力され、実行キー１１２３が押されると、制御部１３は入力されたコードを取得し（Ｓ１０１）、当該コードが電話番号であるか短縮コードであるかをチェックする（Ｓ１０２）。
【００２５】
たとえば、制御部１３は、入力コードが７桁以上である場合には、電話番号と判断することができる。また、短縮コードが００〜９９までの２桁の数字で表されるとすると、入力コードが２桁である場合には、当該コードは短縮コードである。
【００２６】
ステップＳ１０２において、入力された短縮コードが電話番号であるとされる場合には、通信部１５によりダイヤル発信して相手側に接続し（Ｓ１０５）、通話が終了したときは（Ｓ１０６）処理を終了する（「エンド」）。
【００２７】
一方、ステップＳ１０２において、入力されたコードが短縮コードである場合、モード変更キー１１２５，ダイヤル発信／メール送信キー１１２１のどちらが押されたかを判断し（１０３）、ダイヤル発信／メール送信キー１１２１が押されたときは、短縮コードに対応する電話番号が電話帳テーブルＴＢＬに登録されているか否かをチェックし（Ｓ１０４）、短縮コードに対応する電話番号が電話帳テーブルＴＢＬに登録されていないときは、処理を終了する（「エンド」）。
【００２８】
ステップＳ１０４で、短縮コードに対応する電話番号が電話帳テーブルＴＢＬに登録されているときは、ダイヤル発信して相手側に接続し（Ｓ１０５）、通話が終了したときは（Ｓ１０６）処理を終了する（「エンド」）。
【００２９】
上記のステップＳ１０３で、モード変更キー１１２５が押されたときは、短縮番号に対応するメールアドレスが電話帳テーブルＴＢＬに登録されているか否かをチェックし（Ｓ１０７）、登録されていないとき（たとえば、図３（Ａ）の短縮番号「０１」のレコードがこの場合にあたる）は処理を終了する（「エンド」）。
【００３０】
ステップＳ１０７で、短縮コードに対応する電子メールアドレスが電話帳テーブルＴＢＬに登録されているときは、制御部１３は電子メール選択プログラムｐｒｇ＿０４を起動して、メール選択リストを表示部１２に表示する（Ｓ１０８）。この場合のリストの表示順は、前回の電子メール送信において送信した電子メール文書が第１番目に表示されるようにできる。
【００３１】
そして、電子メール文書の選択が行われたとき（Ｓ１０９）は、当該メール文書を送信する（Ｓ１１０）。
たとえば、短縮番号が、「００」であり、電子メール文書がＤ＿０２のときには、「００＊０２」が表示部１２に表示されるようにできる。
【図面の簡単な説明】
【００３２】
【図１】本発明の携帯型電話機のブロック図を示す図である。
【図２】本発明における携帯型電話機の外観図である。
【図３】（Ａ）は電話帳テーブルを例示する図、（Ｂ）は不揮発性ＲＡＭに蓄積された電子メール文書を例示する図である。
【図４】図１および図２に示した携帯型電話機の動作を示すフローチャートの一部を示す図である。
【図５】図１および図２に示した携帯型電話機の動作を示すフローチャートの残り部分を示す図である。
【図６】従来の携帯型電話機の外観図である。
【図７】図６に示した携帯型電話機の動作を示すフローチャートの一部を示す図である。
【図８】図６に示した携帯型電話機の動作を示すフローチャートの残り部分を示す図である。
【符号の説明】
【００３３】
１  携帯型電話機
１１  操作部
１２  表示部
１３  制御部
１４  記憶部
１５  通信部
１１１  テンキー
１１２  操作キー群
１３１  ＣＰＵ
１４１  プログラムドＲＯＭ
１４２  不揮発性ＲＡＭ
１４３  ワークＲＡＭ
１１２１  ダイヤル発信／電子メール送信キー
１１２２  カーソルキー（シーソーキー）
１１２３  実行キー
１１２４  電源キー
１１２５  モード変更キー
【図１】
2006187021.tif 000003
【図２】
2006187021.tif 000004
【図３】
2006187021.tif 000005
【図４】
2006187021.tif 000006
【図５】
2006187021.tif 000007
【図６】
2006187021.tif 000008
【図７】
2006187021.tif 000009
【図８】
2006187021.tif 000010